Podtech/llm-jp-corpus-v4-ja_patent huggingface dataset:
(57)【要約】【課題】  積雪地域においては、屋根の雪で家屋が倒壊する、落雪作業で人が死傷するなどの事故が相次いでおり、雪処理にも多大な労力を要していた。  本発明はこのような課題を克服するために為されたものである。【解決手段】  本発明は、屋根断熱材▲１▼の上に屋根受け材▲２▼を、その先端を屋根枠▲６▼との間隔をあけて取り付け、その上に固い板▲３▼と合板▲４▼に密着させた鉄板▲５▼を敷き、屋根末突端の穴▲７▼にパイプを繋ぎ、エアコンチャンバー▲１１▼に送風機▲９▼で引き込み、エアコン▲１０▼で加熱した温風▲１３▼を循環パイプ▲１２▼で屋根先突端の穴▲８▼に送り込み、温風▲１３▼を循環させる手段を講じた。【選択図】図１
2015161167.tif 000002
【特許請求の範囲】
【請求項１】
屋根断熱材▲１▼の上に屋根受け材▲２▼をその先端を屋根枠▲６▼との間隔をあけて取り付け、その上に固い板▲３▼と合板▲４▼に密着させた鉄板▲５▼を敷き、屋根末突端の穴▲７▼にパイプを繋ぎ、エアコンチャンバー▲１１▼に送風機▲９▼で引き込み、エアコン▲１０▼で加熱した温風▲１３▼を循環パイプ▲１２▼で屋根先突端の穴▲８▼に送り込み、温風▲１３▼を循環させる構造にしたエアコン仕様の雪の積もらない屋根。
【発明の詳細な説明】
【技術分野】
【０００１】  本発明は、寒冷地でも使用できる高機能エアコンを用い、温風空気を屋根材の下で循環させて降雪を溶かす技術に関するものである。
【背景技術】
【０００２】  積雪地域においては、屋根の雪で家屋が倒壊する、落雪作業で人が死傷するなどの事故が相次いでおり、雪処理にも多大な労力を要していた。【０００３】  上記の問題を解決するため、エアコンの温風を直接的に屋根材の下に循環させることでエネルギー消費効率を大きく高め、省エネで屋根全体に雪を積もらせない構造とする。
【発明の概要】
【発明が解決しようとする課題】
【０００４】  従前は、面状ヒーターや温水ヒートポンプなどを使用していたが、膨大なエネルギーを使用するだけでなく、落雪した雪の処理に多大な労力を必要とした。
本発明はこのような課題を克服するために為されたものである。
【課題を解決するための手段】
【０００５】  本発明は、屋根断熱材▲１▼の上に屋根受け材▲２▼を、その先端を屋根枠▲６▼との間隔をあけて取り付け、その上に固い板▲３▼と合板▲４▼に密着させた鉄板▲５▼を敷き、屋根末突端の穴▲７▼にパイプを繋ぎ、エアコンチャンバー▲１１▼に送風機▲９▼で引き込み、エアコン▲１０▼で加熱した温風▲１３▼を循環パイプ▲１２▼で屋根先突端の穴▲８▼に送り込み、温風▲１３▼を循環させる構造にしたことを特徴とした、エアコン仕様の雪の積もらない屋根である。
【発明の効果】
【０００６】  本発明は、エアコン１台で１００ｍ２以上も融雪が可能となる。【０００７】  本発明は、下部の屋根断熱材▲１▼が効いて、上部の屋根構成部材を温めるため降った雪が瞬時に消えてなくなる。【０００８】  本発明は、エアコン１台の設置で１００ｍ２以上も融雪が可能となるため安価な設備で済む。【０００９】  本発明は、主に木造構造となるため、大工仕事で施工できることから現場環境に沿った施工ができる。【００１０】  本発明は、降雪センサーや積雪センサーを付けることで自動制御も可能となる。
【図面の簡単な説明】
【００１１】
【図１】本発明の構造断面図。
【図２】本発明の構造平面図。
【発明を実施するための形態】
【００１２】  本発明は、新築時に構成する方法と同様に、既存の住宅にも設置することが可能となる。
【実施例１】
【００１３】  固い板▲３▼にスレート材を用いた本発明の実施例。
【実施例２】
【００１４】  固い板▲３▼と合板▲４▼を一体化した本発明の実施例。
【実施例３】
【００１５】  鉄板▲５▼を合板▲４▼に接着剤で貼り付けた本発明の実施例。
【実施例４】
【００１６】  ダクトビルトインタイプのエアコンを用いた本発明の実施例。
【実施例５】
【００１７】  寒冷地型エアコンをエアコンチャンバー▲１１▼に組み込んだ本発明の実施例。
【実施例６】
【００１８】  エアコン▲１０▼と送風機▲９▼の運転を、降雪量と外気温センサーで制御した本発明の実施例。
【実施例７】
【００１９】  循環パイプ▲１２▼を完全断熱した本発明の実施例。
【実施例８】
【００２０】  屋根断熱材▲１▼に樹脂断熱材を用いた本発明の実施例。
【産業上の利用可能性】
【００２１】  本発明によって、省エネで雪の積もらない屋根の実現が可能となる。【００２２】  本発明によって、雪国の除雪作業を大幅に緩和することが可能となる。【００２３】  本発明は、安価で設置出来て安価なエネルギーで融雪する可能性がある。
【符号の説明】
【００２５】▲１▼    屋根断熱材
▲２▼    屋根受け材
▲３▼    固い板
▲４▼    合板
▲５▼    鉄板
▲６▼    屋根枠
▲７▼    屋根末突端の穴
▲８▼    屋根先突端の穴
▲９▼    送風機
▲１０▼  エアコン
▲１１▼  エアコンチャンバー
▲１２▼  循環パイプ
▲１３▼  温風
【図１】
2015161167.tif 000003
【図２】
2015161167.tif 000004
(57)【要約】【課題】  同一筐体の段積設置において、単純な操作のみで筐体の段積作業を行うことができ、かつ段積した筐体のズレや脱落を防止する固定構造を有する段積構造を提供する。【解決手段】  自筐体を構成する底面の所定の部位に形成された自筐体を前記設置面から所定長浮かす複数の凸部と、自筐体を構成する天面の凸部と対向する各々の部位に形成された複数の凹部と、前記筐体の天面から突出した位置に形成された所定のネジを側面から挿入するネジ挿入孔と、自筐体を自筐体と同一形状の筐体を備える他装置の上に積み重ねた場合に、前記他装置が備える筐体の前記ネジ取付用孔と対向する部位に形成された前記ネジを受け入れて締結するネジ受部とから成り、単純な操作で筐体の段積作業を行う。【選択図】    図１
2015173185.tif 000002
【特許請求の範囲】
【請求項１】
所定の装置を設置する略水平な設置面に、複数台の前記装置を略垂直方向に積み重ねる段積が可能な前記装置を構成する筐体の構造であって、
自筐体を構成する底面の所定の部位に形成された自筐体を前記設置面から所定長浮かす複数の凸部と、前記凸部に形成された前記設置面と接触するゴム足を着脱自在に受け入れるゴム足受部と、自筐体を構成する天面の前記凸部と対向する各々の部位に形成された複数の凹部と、前記筐体の天面から突出した位置に形成された所定のネジを側面から挿入するネジ挿入孔と、自筐体を自筐体と同一形状の筐体を備える他装置の上に積み重ねた場合に、前記他装置が備える筐体の前記ネジ取付用孔と対向する部位に形成された前記ネジを受け入れて締結するネジ受部とから成ることを特徴とする段積用ネジ締結機構を有する筐体の構造。
【発明の詳細な説明】
【技術分野】
【０００１】
本発明は、筐体、特に段積設置に適した筐体に関する。
【背景技術】
【０００２】
従来の技術における筐体を段積設置する構造として、筺体底面に備える嵌合爪および矢尻形の突起を持つリブを、筐体天面に備える嵌合溝を嵌合させて固定し、段積した筐体のズレや脱落を防止する構造がある（例えば、特許文献１）。
【０００３】
しかしながら、特許文献１において、段積設置作業を行う際に、筐体底面の嵌合爪および矢尻形の突起を有するリブと、筐体天面の嵌合溝とを嵌合する組立操作が必要である。そのため、段積作業が複雑になり組立、分解方法が分かりにくく、嵌合爪が破損してしまうという不便があった。
【先行技術文献】
【特許文献】
【０００４】
【特許文献１】特開２００１−１８９５７１号公報
【発明の概要】
【発明が解決しようとする課題】
【０００５】
本発明は、上記の問題を解決するために、筐体を段積設置するときに、単純な操作のみで筐体の段積作業を行うことができ、かつ段積した筐体のズレや脱落を防止する固定構造を有する段積構造を提供することにある。
【課題を解決するための手段】
【０００６】
上記の課題を解決するために、本発明は、所定の装置を設置する略水平な設置面に、複数台の前記装置を略垂直方向に積み重ねる段積が可能な前記装置を構成する筐体の構造であって、自筐体を構成する底面の所定の部位に形成された自筐体を前記設置面から所定長浮かす複数の凸部と、前記凸部に形成された前記設置面と接触するゴム足を着脱自在に受け入れるゴム足受部と、自筐体を構成する天面の前記凸部と対向する各々の部位に形成された複数の凹部と、前記筐体の天面から突出した位置に形成された所定のネジを側面から挿入するネジ挿入孔と、自筐体を自筐体と同一形状の筐体を備える他装置の上に積み重ねた場合に、前記他装置が備える筐体の前記ネジ取付用孔と対向する部位に形成された前記ネジを受け入れて締結するネジ受部とから成ることを特徴とする。
【発明の効果】
【０００７】
本発明によれば、筐体を段積設置するときに、単純な操作のみで筐体の段積作業を行うことができ、かつ段積した筐体のズレや脱落を防止する固定構造を有する段積構造を提供できる。
【図面の簡単な説明】
【０００８】
【図１】本発明の実施の一形態による段積状態を示す斜視図
【図２】（ａ）図１のＡ−Ａ断面図  （ｂ）図２（ａ）における装置係合部とネジ締結部の詳細図
【発明を実施するための形態】
【０００９】
以下に、図面を参照しながら、本発明の実施の一形態について説明する。
【００１０】
図１は本発明の実施の一形態に係る、同一の筐体を段積設置している状態の斜視図を示す。１は下段の筐体で２は上段の筐体を示す。
【００１１】
図２（ａ）は図１におけるＡ−Ａ断面図を示す。図２（ａ）において、下段の筐体１にはゴム足１０が装着されており、筐体の脚として使用する。
【００１２】
図２（ｂ）は図２（ａ）における装置係合部とネジ締結部の詳細を示す。図２（ｂ）において、１１は上段の筐体２の筐体底面の凸部を示す。筐体底面の凸部１１は、自筐体を保持し、筐体の脚として使用されるゴム足１０を受け入れるゴム足受孔２２が形成されている。なお、本実施例において凸部の数を４つとして表現しているが、１以上であればよく、それに限定されない。
【００１３】
２１は下段の筐体１の筐体天面の凹部を示す。筐体天面の凹部２１は、上段の筐体２の筐体底面の凸部１１と対向する位置に設ける。筐体天面の凹部２１の形状は、筐体底面の凸部１１の外形形状よりも径が大きくかつ凸部１１の高さより深く形成する。これにより筐体天面の凹部２１と筐体底面の凸部１１を係合させる。
【００１４】
なお、筐体天面の凹部２１の径を筐体底面の凸部１１の径に近づけることで、上段の筐体２の筐体底面の凸部１１と下段の筐体１の筐体天面の凹部２１との位置精度が高くなるため、より簡単に段積固定を行うことが可能である。
【００１５】
以上の通り、段積み作業者は、筐体底面の凸部を筐体天面の凹部に係合し、側面からネジを締結するといった単純な作業だけで段積固定作業を行うことができる。
【００１６】
本図では一例として２段積みで説明したが、ネジの締結本数を増やせば何段でも設置可能である。
【符号の説明】
【００１７】
１    下段の筐体
２    上段の筐体
１０  ゴム足
１１  筐体底面の凸部
１２  筐体側面のネジ取付け用孔
１３  ネジ
１４  筐体側面のネジ締結用溝
２１  筐体天面の凹部
２２  ゴム足受孔
【図１】
2015173185.tif 000003
【図２】
2015173185.tif 000004
(57)【要約】【課題】  シリンダータイプ水晶振動子において水晶片と封止管内側壁との隙間が狭いと水晶片が封止管に接触する不具合がある。【解決手段】  シリンダータイプ水晶振動子の封止管の内側側面のメッキ層が開口部から管底に向かい徐々にうすくなるようにして、水晶片と封止管内側壁との隙間を大きくする。【選択図】  図２
2015173365.tif 000002
【特許請求の範囲】
【請求項１】
２本以上のリードを備えた気密端子のインナーリード間に、水晶片を配置し、ペースト半田または導電性接着剤で、該インナーリードと該水晶片の電極とを電気的・機械的に接続し、該気密端子に封止管を圧入し、該水晶片を封止した水晶振動子において、
前記封止管は、金属板材を深絞り加工等により円柱形状に絞り管底板とその周囲に起立した側面壁があり側面壁の先は開口し、錆防止のためメッキ層が形成され
前記封止管の内側側面のメッキ層が、前記封止管の開口部から缶底部に向かい徐々に薄く形成されていることを特徴とする水晶振動子。
【請求項２】
前記封止管は、前記メッキ層の厚さにより、
開口部の内径よりも缶底部付近の内径が大きいことを特徴とする請求項１記載の水晶振動子。
【発明の詳細な説明】
【技術分野】
【０００１】
本発明は水晶片を気密封止したシリンダータイプの水晶振動子に関するものであり、より詳しくは、水晶片を気密封止するための封止管に関するものである。
【背景技術】
【０００２】
水晶振動子は水晶の圧電効果を利用した振動子であり、水晶特有な安定した発振源であるため多くの分野に利用されており、腕時計、ビデオデッキ、携帯電話当に使用されている。
【０００３】
図１はシリンダータイプの水晶振動子の分解斜視図である。１は封止管、２は気密端子、３はリード、４は水晶片、５は水晶片に形成された電極である。水晶振動子は、水晶片４が気密端子２の略中心に埋設されたリード３のインナーリード３ａに固定され、水晶片４が片側だけ固定（片側支持）された気密端子２を封止管１に圧入封止して完成されるシリンダータイプの水晶振動子である。
【０００４】
特許文献１に示されるように、管部とプラグ部とが、合金層を介して密着する圧入封止型電子部品が知られている。
【先行技術文献】
【特許文献】
【０００５】
【特許文献１】特開２００５−１５０３２２号公報
【発明の概要】
【発明が解決しようとする課題】
【０００６】
近年水晶振動子は、小型化、高精度化の要求が強くなってきている。水晶振動子が小型化になると水晶片と封止管内側壁との隙間が狭く、水晶片が封止管に接触する不具合がある。
【０００７】
本発明の目的は、水晶片と封止管内側壁との隙間が狭い小型振動子において、水晶片と封止管内側壁の隙間を大きくした封止管を提供することにある。
【課題を解決するための手段】
【０００８】
２本以上のリードを備えた気密端子のインナーリード間に、水晶片を配置し、ペースト半田または導電性接着剤で、インナーリードと該水晶片の電極とを電気的・機械的に接続し、気密端子に封止管を圧入し、水晶片を封止した水晶振動子において、封止管は、金属板材を深絞り加工等により円柱形状に絞り管底板とその周囲に起立した側面壁があり側面壁の先は開口している。封止管は錆防止のためメッキを行っている。封止管の内側側面のメッキ層が、封止管の開口部から缶底部に向かい徐々に薄く形成されている水晶振動子とする。
【０００９】
前記封止管は、前記メッキ層の厚さにより、開口部の内径よりも管底部付近の内径が大きい水晶振動子とする。
【発明の効果】
【００１０】
本発明の封止管によれば、水晶片と封止管内側壁との隙間を大きくすることが出来る。
【図面の簡単な説明】
【００１１】
【図１】シリンダータイプの水晶振動子の分解斜視図
【図２】本発明における封止管の概略断面図
【図３】本発明における水晶振動子の断面図
【発明を実施するための形態】
【００１２】
本発明の封止管の実施形態を図面に基づき詳細に説明する。
【００１３】
封止管について説明する。図２は、本発明における封止管の概略断面図である。封止管１は、洋白などの金属板材を深絞り加工で、一端に開口部を備える円柱形状に形成され、管底板と側面壁とを備える。深絞り加工で形成されるため開口部の内径は管底部の内径より、大きくなってしまう。
【００１４】
円柱形状に形成した後、表面にメッキ層６を形成する。メッキ層６としては一般に素材表面にニッケルメッキを行っている。メッキ層６の形成工程ではメッキ前処理として脱気処理の時間を短くすることで、封止管の管底部にメッキ液が入りにくくすることにより、封止管内側側面のメッキ層６が封止管開口部から管底部に向かい徐々に薄くなるように形成される。
【００１５】
封止管へのメッキ層形成について説明する。深絞り加工された封止管１には、加工時の油が付着しているため、脱脂を行い油を除去し、酸等により表面の活性化を行う。次に脱気処理を行い、封止管の管底部にメッキ液が入るようにし、メッキ層の形成を行う。
【００１６】
水晶振動子の組立工程について説明する。図３は、水晶振動子の断面図である。気密端子２は、２本リード３を備え、組立時に封止管内部に位置するインナーリード３ａに、水晶片４が固定される。水晶片４の電極５とインナーリード３ａとが、導電接着剤や半田などの接合部材を用いることで、電気的・機械的に接続される。
【００１７】
水晶片４と気密端子２とを適正位置に配置し、固定しても、位置合わせ精度や、接合部材の収縮などで、水晶片４の傾きを完全に排除することは非常に困難である。
【００１８】
気密端子２に水晶片４を固定した後、周波数調整を行う。調整手段は、既知のレーザーやイオンビームを用いて行う。
【００１９】
周波数調整の後、真空中または、窒素雰囲気下で、水晶片４を固定した気密端子２に、封止管１を圧入する。封止管１のメッキ層６や、気密端子２のメッキ層（不図示）は、圧入時の緩衝材や、気密端子２に封止管１を圧入した際のシール性や錆防止としても機能する。
【００２０】
封止管１の開口部の内径よりも、管底部付近の内径が大きくなっているので、水晶片４が傾いていても、水晶片４と封止管１内側壁の隙間を大きくとれるので、水晶片４が封止管１に接触することを防止できる。
【００２１】
封止管の開口部はＲ形状になっていて、気密端子２に封止管１を圧入しやすい形状になっている。
【符号の説明】
【００２２】
１    封止管
２    気密端子
３    リード
３ａ  インナーリード
４    水晶片
５    電極
６    メッキ層
【図１】
2015173365.tif 000003
【図２】
2015173365.tif 000004
【図３】
2015173365.tif 000005
(57)【要約】【課題】ＵＶ．抗菌効果のあるレース繊維で、紫外線から肌を守る、ＵＶ抗菌レースマスクを提供する。【解決手段】ＵＶ．レース繊維と抗菌性のあるレースを用い上部中央を山型状にし、中央から下を立体的に作り下の部分に空胴を設け、一本のゴムを、上端より空胴を通しもう片方の上端に付けることを特徴とするＵＶ．抗菌レースマスク。【選択図】図１
2015173974.tif 000002
【特許請求の範囲】
【請求項１】
ＵＶ．抗菌．消臭効果のあるレース繊維を用い、中央より、下に立体的カットを用い、上部中央を山型状し縫い合せ、マスク状にし、下部に空胴を設け、マスクの上端にゴムを縫い付け、ゴム先端を下の空胴に通しマスクのもう片方上端に縫い付けた、ＵＶ．抗菌レースマスク。
【発明の詳細な説明】
【技術分野】
【０００１】本発明は紫外線から受けるお肌のしみ．しわ．たるみ  肌へのダメージを防御しかつ通気性にすぐれ、繰り返し使用可能な両面使用可能なＵＶ抗菌レースマスクに関するものである。
【背景技術】
【０００２】従来、紫外線を防ぐ為には日傘や帽子を使用していた。
また、紫外線防止の肌に塗るクリームを使用していた。
【発明の概要】
【発明が解決しようとする課題】
【０００３】  それには、次のような問題点があった。
（イ）紫外線を防ぐ為の日傘は人混や、両手が使えず不便だった。帽子も風の強い時などは、つばが顔をおおってしまい、前方が見えない危険性もあった。
（ロ）紫外線クリームは、汗で流れてしまい効果が薄れる。何度も付け直し不経済である。
【課題を解決するための手段】
【０００４】  薄手のＵＶ性があるレース繊維とＵＶ抗菌性のレース繊維を２枚用い中央部分より、下に向かいＶの字のカットを入れて、立体的になる様縫い合わせる、上部中央部分も山型状になる様にカットし、２枚を縫い合せ、下部に空胴を作り、上部端にゴムを縫い付け、ゴム先端を空胴に通しもう片方の上部端に縫い付ける。
以上を特徴とする、ＵＶ．抗菌レースマスクである。
【発明の効果】
【０００５】携帯に便利で、自転車やバイクに乗りながらも、紫外線対策ができる。風の強い日でも、前方が見え安全である。
レース繊維を使用した為、通気性が良く、口元が息でベチョベチョにならない。
抗菌光触媒で、安全衛生的であり、レース繊維の為洗濯しても、形くずれせず、経済的である。
上部を山型状にしたことで、より多く、紫外線を防ぐことができ、眼鏡をかけても、マスクとフレームの間にすき間を作らず、紫外線を防護できる。下部の空胴にゴムを通すことにより、あご先から内側部分を地面の照り返しから、防護することができ、伸縮がきく為顔の輪郭にフィットできる
【図面の簡単な説明】
【０００６】
【図１】本発明の斜視図である。
【図２】本発明を装着した使用状態図
【図３】本発明の側面図
【発明を実施するための形態】
【０００７】以下、本発明の実施の形態について説明する。
（イ）マスク（６）薄手のＵＶレース繊維（１）と、マスク（６）ＵＶ．抗菌．消臭効果のあるレース繊維（２）を２枚用いる。
（ロ）マスク（６）薄手のＵＶレース繊維（１）と、マスク（６）ＵＶ抗菌消臭レース繊維（２）の上部中央部（３）を山型（５）状にカットする。
（ハ）中央部（３）の真中より、下部に向かい立体的になる様Ｖ字カット（４）をし、縫い合わせる。
（ニ）ＵＶレース（１）と抗菌レース（２）を上下縫い合わせマスク（６）を形成する。
（ホ）マスク（６）を裏返しにし、下部にゴムを通す空胴（７）を設ける。
（ヘ）マスク（６）上部端にゴム（８）を縫いつけ、ゴム（８）の先端を下部空胴（７）に通し先端をマスク（６）の上部端にゴム（８）を縫いつける。
本発明は、以上のような構成である。
【０００８】本発明を使用するときは、空胴（７）が下になるように持ち顔にマスク（６）を当て、片耳にゴム（８）をひっかけもう片方の耳にゴム（８）をかける。
顔の中央に中央部（３）を装着し、目と目の間に山型（５）がくるように装着し、上部山型（５）を押えながら下部の空胴（７）を引張り、アゴの下内側へと装着し、ゴム（８）で、調整し、下からの照り返しも防ぐ。
また、図２の示すように、眼鏡がなくても使用できる。
本発明の実施の形態では、薄手のＵＶレース繊維（１）とＵＶ抗菌レース繊維（２）を例として説明したがＵＶ．抗菌レース（２）２枚を用いても良い。
【符号の説明】
【０００９】１．薄手のＵＶ繊維
２．ＵＶ．抗菌．消臭．効果繊維
３．中央部
４．立体的Ｖ字カット
５  山型
６．マスク
７．空胴
８．やわらかいゴム
【図１】
2015173974.tif 000003
【図２】
2015173974.tif 000004
【図３】
2015173974.tif 000005
(57)【要約】      （修正有）【課題】ゴム製や、ビニール製の手袋の中側が濡れたとき、通常の洗濯バサミ付きのハンガーにぶらさげて干せば指先が充分に乾燥しないので、簡単に干せ、５本の指先も曲げず水キレも良く通気性もあり、良く乾燥することで悪臭を防止し、衛生的に清潔に保てるようにし、全返しもしないので面倒もなく傷もつかず、より長持ちをさせることのできる、ゴム手袋用ハンガーを提供する。【解決手段】引掛部１の下部に結合部３を設け、結合部３の両側に手形のハンガー２を設け、濡れたゴム製、ビニール手袋をかぶせるだけで干せる構造とした。【選択図】図１
2015173971.tif 000002
【特許請求の範囲】
【請求項１】
引掛部（１）の下部に結合部（３）を設け、結合部（３）の両側に手形のハンガー（２）を設けたゴム手袋用ハンガー。
【請求項２】
手形のハンガー（２）の結合部（３）にマグネット（４ａ）を設けたゴム手袋用ハンガー。
【請求項３】
手形のハンガー（２）の結合部（３）に吸着盤（４ｂ）を設けたゴム手袋用ハンガー。
【発明の詳細な説明】
【技術分野】
【０００１】  本発明は、ゴム製や、ビニール製の手袋の中側が濡れたときに、５本の指先が曲らずに簡単に干せて、簡単に乾燥できるように工夫したゴム手袋用ハンガーに関するものである。
【背景技術】
【０００２】  従来、中側が濡れたとき、通常の洗濯バサミ付きのハンガーにぶらさげて干せば指先が充分に乾燥しなかった。
１本の指先を棒等に干せば、他の４本の指先が折れ曲がってしまっていた。
全返しにして干すのも面倒だし、傷つきやすいと中側の乾燥手段に四苦八苦でした。
【先行技術文献】
【特許文献】
【０００３】
【特許文献１】  特開２００２−３６０９９３号公報
【発明の概要】
【発明が解決しようとする課題】
【０００４】  そのために次のような問題があった。
（イ）中側が濡れたとき、通常の洗濯バサミハンガーにはさんで干せば、ゴム手袋の指先    が充分に乾かず、時間がかかっていた。
（ロ）ゴム手袋の１本の指先を棒等に干せば、ゴム手袋の他の４本の指先が折れ曲り充分    に乾かない。
（ハ）ゴム手袋を全返しにして干すのも面倒だし、乾燥も全返しする手間がかかる。
本発明は、これらの欠点を解決するためになされたものである。
【課題を解決するための手段】
【０００５】  引掛部（１）の下部に結合部（３）を設け、結合部（３）の両側に手形のハンガー（２）を設けたゴム手袋用ハンガー。【０００６】  手形のハンガー（２）の結合部（３）にマグネット（４ａ）、または、吸着盤（４ｂ）を設けたゴム手袋用ハンガー。
【発明の効果】
【０００７】  濡れたゴム製、ビニール製手袋をかぶせるだけなので、簡単に干せ、５本の指先も曲らないので水切れも良く通気性もあり、よく乾燥するので悪臭もなく、衛生的に清潔に保て、全返しもしないので面倒もなく傷もつかず、より長持ちする効果がある。
【図面の簡単な説明】
【０００８】
【図１】  本発明の平面図である。
【図２】  本発明の使用状態を示した説明図である。
【図３】  本発明の結合部に、マグネット付（４ａ）、または、吸着盤付（４ｂ）にした平面図である。
【発明を実施するための形態】
【０００９】  以下、本発明の実施の形態について説明する。
引掛部（１）の下部に結合部（３）を設け、結合部（３）の両側に手形のハンガー（２）を設けたゴム手袋用ハンガー。
さらに、具体的に本発明の実施の形態について説明する。
（イ）５本の指先が曲らず干せるよう手形のハンガー（２）を作る。
「図１」の（２）
（ロ）屋内、屋外問わず干せるよう引掛部（１）を設け、引掛式にする。
「図１」の（１）
（ハ）引掛支柱と手形支柱の結合部（３）を２重３重にして丈夫にする。
「図１」の（３）
（ニ）軽くて持ち運びがしやすく、丈夫なゴム手用ハンガーとする。
（ホ）安価にできて大量生産できるよう鉄線、樹脂素材で作る。
本発明は以上のような構造である。
本発明品を使用することで、手形のハンガー（２）に濡れたゴム手袋をかぶせて干すだけである。
【符号の説明】
【００１０】    １  引掛部
２  手形のハンガー
３  結合部
４ａ  マグネット
４ｂ  吸着盤
５  手袋
【図１】
2015173971.tif 000003
【図２】
2015173971.tif 000004
【図３】
2015173971.tif 000005
(57)【要約】【課題】従来の髪の洗髪、頭皮マッサージ用手袋は指腹部にのみにしか凸形状の突起が設けられておらず一度に洗髪できる範囲が限られてしまうが故に洗髪や頭皮マッサージに要する時間がかかり過ぎてしまう為、非効率であり効果も期待できないものだった。また凸形状の突起部分で頭皮以外にも体のマッサージ、指圧効果の向上も課題とする。【解決手段】指先から手の平全体にマッサージ用の凸形状の突起（軟質突起）を多数取り付けた構造にする。手袋の指先、手の平面に水切れ用の複数の穴を設ける。【選択図】図１
2015173968.tif 000002
【特許請求の範囲】
【請求項１】
表裏それぞれに多数の軟質の凸状突起が設けられ、指先、手の平部分に複数の水切れ用の穴を設けたことを特徴とした美容マッサージ手袋。
【発明の詳細な説明】
【技術分野】
【０００１】本発明は洗髪、頭皮、体の指圧マッサージに関するものである。
【背景技術】
【０００２】従来の発明では洗髪用を始として、身体用品としてもマッサージ器具としても使用でき形状としては二段の高さの異なる軟質突起を設けるとともに、手袋本体の各指先に、軟質爪突起をそれぞれ形成する構造とした肘まである長めの洗髪用の手袋である。
介護洗髪等の作業の容易化と迅速化を図る発明が知られている（特許文献４参照）。
【先行技術文献】
【特許文献】
【０００３】
【特許文献１】特開２００５−２００８２０号公報
【特許文献２】特開平１０−３１７２１４号公報
【特許文献３】登録実用新案第３０３１８２９号公報
【特許文献４】登録実用新案第３１７１８７７号公報
【発明の概要】
【発明が解決しようとする課題】
【０００４】従来の髪の洗髪、頭皮マッサージ用手袋は指腹部にのみにしか凸形状の突起が設けられておらず一度に洗髪できる範囲が限られてしまうが故に洗髪や頭皮マッサージに要する時間がかかり過ぎてしまう為、非効率であり効果も期待できないものだった。
また凸形状の突起部分で頭皮以外にも体のマッサージ、指圧効果の向上も課題とする。
【課題を解決するための手段】
【０００５】指先から手の平全体にマッサージ用の凸形状の突起（軟質突起）を多数取り付けた構造にする。
手袋の指先、手の平面に水切れ用の複数の穴を設ける。
【発明の効果】
【０００６】両手の指先から手の平全体に付いた無数の突起部分によって頭全体をしっかりと覆うように効率的で効果的な洗髪、頭皮マッサージが可能である。
また手を握った状態で指表面にある第二間接の軟質突起を頭皮や体にマッサージする事もでき従来品にはないマッサージ作用が期待できる。
頭皮以外にも腕や足、体全体のマッサージにも試用が可能。
手袋の指先、手の平面に水切れ用の複数穴をつくり通気性、速乾性、衛生面を高める。
【図面の簡単な説明】
【０００７】
【図１】本発明の斜視図
【図２】本発明の断面図
【図３】本発明のその他の実施例を示す斜視図
【図４】本発明の使用状態を示す斜視図
【図５】本発明の使用状態を示す斜視図
【図６】本発明の使用状態を示す斜視図
【発明を実施するための形態】
【０００８】以下本発明の実施の形態を説明する。
図１にしめすとおり美容マッサージ手袋は表裏それぞれに多数の軟質の凸状突起が設けられている。
また指先、手の平部分に複数の水切れ用の穴を設ける。素材は防水性があり適度な軟質性のあるシリコンゴムを使用する。また、手の甲側に横幅約６ｃｍ縦幅約５ｃｍのくり抜きを設ける。
美容マッサージ手袋の爪先と、指先表面中心線の延長線上にあたる位置に間隔をあけて複数の凸状の軟質突起を設ける。その突起を中心としその周りを囲むように同じく複数の凸状の軟質突起を設ける。
また指先から指の付け根まで表裏全方位と手の平面側前面に大きさの異なる高さ約５ｍｍから１０ｍｍ、直径約３ｍｍから１０ｍｍの凸状の軟質突起を多数設ける。
またそれぞれ凸状の突起部分の間に円形で直径約３ｍｍから５ｍｍの複数の水切れ用の穴を設ける。
【０００９】図２にしめすとおりシリコンゴムで作られた手袋には山型の凸状突起が設けられており手袋自体と凸状突起部分は同一素材により一体化している。
水切れの為に穴は直線上に設けられている。
【００１０】図３にしめすとおり美容マッサージ手袋の変形型であり指付け根部分から指先部分のみの形状である。
凸状の軟質突起や水切れ用の穴は、段落番号０００８で説明した洗髪マッサージ用手袋と同じ形状のものを設ける。表面指付け根部分にはそれぞれの指用に一箇所ずつ穴がもうけられておりその穴に紐を通しそれぞれの指用のマッサージ器具を一体化することにより携帯、所有に便利な形状する。
本発明は以上のような構造である。
【００１１】本発明を使用する時は、図４にしめすとおり美容マッサージ手袋を洗髪時に両手に着用し洗髪時に指先から手の平にある軟質の凸状突起部分を頭部全体に覆うよう軽く押し当てることにより頭皮全体に適合した効率の良いマッサージを行うことが可能になる。また凸状突起部分を頭皮または体に押し当てるようにマッサージする事により力が効果的に加わり図５のように図４とは異なるマッサージ効果を得ることができる。
【００１３】図５にしめすとおり美容マッサージ手袋を両手に着用し体のマッサージ、指圧を与えたい部位に凸状突起部分を押し当てることにより、より体に適合したマッサージが可能になる。
【符号の説明】
【００１４】１凸状突起（大）、２凸状突起（中）、３凸状突起（小）、４水切れ用穴（大）、５水切れ用穴（小）、６くり抜き、７紐
【図１】
2015173968.tif 000003
【図２】
2015173968.tif 000004
【図３】
2015173968.tif 000005
【図４】
2015173968.tif 000006
【図５】
2015173968.tif 000007
【図６】
2015173968.tif 000008
(57)【要約】【課題】キッチンペーパーのロールを用いるペーパーホルダーの形状は、ロール紙をカットした後の紙端が見つけ難く、濡れ手でロールを持ち上げて端を探すなど、両手を使わざるを得ないし、ロールが濡れてしまう事は衛生的ではない。【解決手段】紙取り出し口まで片手で紙端を摘んで持っていく縦の切り込み溝を蓋先端から紙取り出し口と一体にして設けたことで、紙端を蓋上面に容易に引き出せ、蓋先端で紙をカットすると、常に紙端が蓋上面に見えており、次の使用時、容易に紙端を確保でき、ホルダーが固定されているので片手でも紙を引き出し、切断できるし、濡れ手でもロールを濡らすことがないので便利で衛生的である。【選択図】図１
2015173966.tif 000002
【特許請求の範囲】
【請求項１】
ホルダーの蓋先端に縦に切り込み溝を設け、紙取り出し口につなげたことを特徴とするキッチンペーパーホルダー。
【請求項２】
ホルダーの蓋先端に紙切断用の突起を４個設けたことを特徴とする請求項１記載のキッチンペーパーホルダー。
【請求項３】
ホルダーの蓋先端の縦の切り込み溝、紙取り出し口、蓋先端の紙切断用の突起の形状を変えてお客の目を引くことを特徴とする請求項１記載のキッチンペーパーホルダー。
【発明の詳細な説明】
【技術分野】
【０００１】  この発明は、キッチンペーパーホルダーの形状に関する。
【背景技術】
【０００２】  従来のキッチンペーパーホルダーの形状は、蓋に紙先端取り出し口が設けられ、卓上に置くタイプのものである。
【先行技術文献】
【特許文献】
【０００３】
【発明の概要】
【発明が解決しようとする課題】
【０００４】  しかしながら、以上の技術によれば、紙先端を探すのに毎回手間取ったり、両手を使用する必要があり、面倒であったし、濡れ手で持つとロールがぬれてしまう。
そこで、この発明は、片手で紙先端を摘んで蓋上の取り出し口に持っていき引き出すことが出来、蓋先端のカッターも突起を少なくして、ロール紙の切断を容易にし、その紙端が常に蓋上面にあることで、次の利用者が容易に紙端を確保し、ロールを濡らすことなく紙を引き出して使用可能なことを提供することを課題とする。
【課題を解決するための手段】
【０００５】  以上の課題を解決するために、第一発明は、蓋に縦の切り込み溝４を設けたことを特徴とするキッチンペーパーホルダーである。
また、第二発明は、壁や天井にビスや吸盤でホルダー本体を取り付けて使用するホルダーである。
【発明の効果】
【０００６】  第一発明、または第二発明によれば、キッチンペーパーホルダー蓋の紙取り出し口に接続する縦の切り込み溝を入れ、紙取り出し口開口部と一体にしたことで、紙端を引き出すことが容易であり、次の使用者は紙端が必ず獲得できるので衛生的である。また、固定されているので、片手でキッチンペーパーを取り出し、切断することができるので、便利で衛生的である。
【図面の簡単な説明】
【０００７】
【図１】この発明の一実施形態を示す正面図である。
【図２】この発明の一実施形能を示す側面図である。
【発明を実施するための形態】
【０００８】  この発明の一実施形態を、図１に示す。
このペーパーホルダーの蓋先端には縦の切り込み溝があり、その上端は紙取り出し口が横に大きく開いている。
【０００９】「実施形態の効果」
この実施形態によれば、紙先端を摘まみ、縦の切り込み溝を通して紙取り出し口から引き出すことができ、紙を蓋先端の突起に押し付けるように切断した後は、紙先端が蓋上面に必ず出ているので、次に使用する時は容易に先端が確保できる。
「他の実施形態効果」
図１の実施形態では、ロール紙の使用であったが、他の実施形態では、蓋裏と心棒で挟むようにカット紙を置き、紙引き出し口から片手で引き出して使用できるので、便利で衛生的である。
「他の実施形態」
この実施形態によれば、紙を蓋先端の４個の突起のどれかに押し付けて切断すようにしているが、これは紙にかかる切断力を大きくし、切断を容易にするためであり、突起の数の多少、形状の違い又は突起無しの場合もある。
【符号の説明】
【００１０】１  ペーパーホルダー本体            ２  ペーパーホルダー蓋
３  紙取り出し口                    ４  蓋縦切り込み溝
５  紙切断用突起                    ６  蓋ガイド
７  取付け穴
【図１】
2015173966.tif 000003
【図２】
2015173966.tif 000004
(57)【要約】【課題】  人命救助などでロープ等で人間が降下や上昇する際には、ヘリコプターの風圧や風などによって、体が水平方向にロープを軸に回転してしまい、活動を阻害してしまう事が発生する場合がある。その回転現象を軽減し本来の活動がスムーズに行えるための姿勢安定装置を提供する。【解決手段】  本発明は、物体を回転させる機構を組み込んで、それを体やロープに取り付けられるようにする装置である。本装置を体やロープに固定させ、回転体を起動させた状態において、ぶら下がっている体が回転する現象を抑制することができる。その結果、救助やその他の作業においても本来の目的を達成しやすくなるといった効果が得られる。  体やロープに取り付けるための形態は、ベルト類など多様なものがあるが、本発明は、それらの形態を問うものではない。また、回転体の大きさや方式を問うものでもない。【選択図】図１
2015173969.tif 000002
【特許請求の範囲】
【請求項１】
ヘリコプター、その他上部からの人命救助などで人間がロープ等で降下や上昇する際に人間の体が回転する現象を抑制するための姿勢安定装置
【発明の詳細な説明】
【技術分野】
【０００１】  本発明は、ヘリコプターその他上方からの人命救助等で、人間がロープ等で降下や上昇する際に人間の体が回転する現象を抑制するための器具に関するものである。
【背景技術】
【０００２】  人命救助などでロープ等で人間が降下や上昇する際には、ヘリコプターの風圧や風などによって、体が水平方向にロープを軸に回転してしまい、活動を阻害してしまう事が発生する場合がある。
【発明の概要】
【発明が解決しようとする課題】
【０００３】  ヘリコプターでの人命救助などで人間がロープ等で降下や上昇する際には、ロープが一本の場合、ロープを軸にして体が回転してしまい、救助活動などに支障が出る場合がある。
【課題を解決するための手段】
【０００４】  本発明は、物体を回転させる装置を組み込んで、それを体またはロープ等に取り付ける。この器具を取り付けることによって、体の回転を抑制することが可能になる。
【発明の効果】
【０００５】  回転体を内蔵する物体を体やロープに固定をすることで、回転体を起動させた状態において、ロープ等にぶら下がる人間の体がくるくると回転する速度を抑制することができる。その結果、救助やその他の作業においても本来の目的を達成しやすくなるといった効果が得られる。
【図面の簡単な説明】
【０００６】
【図１】人間に装着した時の側面図および背面図である
【図２】図１の「姿勢安定装置」形状及び取り付け形態の別例である
【発明を実施するための形態】
【０００７】  回転物を内蔵した装置を体やロープに固定できるようにして使用する。回転体が回転をしているときに、ぶら下がっているロープ類の軸を中心として発生する体の回転現象を抑制することが可能となる。
体に取り付けるための形態は、ベルト類など多様なものがあるが、本発明は、それらの形態を問うものではない。また、回転体の大きさや方式を問うものでもない。
【符号の説明】
【０００８】１  姿勢安定装置
２  回転体
３  駆動源
４  筐体
【図１】
2015173969.tif 000003
【図２】
2015173969.tif 000004
(57)【要約】【課題】トイレットペーパーのロール用をいるペーパーホルダーの形状は、ロール紙をカットした後の紙端が見つけ難く、蓋を片手で持ち上げてロールを撫ぜる等して端を探すなど、両手を使わざるを得ないし、用便後に紙を端折することも衛生的ではないし、蓋に紙取り出し口が設けられている場合でも、取り出し口に紙を通すために両手を使う面倒くささがあり、使用されにくかった。【解決手段】紙取り出し口まで片手で紙端を摘んで持っていく縦の切り込み溝を蓋先端から紙取り出し口と一体にして設けたことで、紙端を蓋上面に容易に引き出せ、蓋先端で紙をカットすると、常に紙端が蓋上面に見えており、次の使用時、容易に紙端を確保できるので便利で衛生的である。【選択図】図１
2015173965.tif 000002
【特許請求の範囲】
【請求項１】
ホルダーの蓋先端に縦に切り込み溝を設け、紙取り出し口につなげたことを特徴とするトイレットペーパーホルダー。
【請求項２】
ホルダーの蓋に水溶性ティッシュ収納ポケットを設け、紙取り出し口を大きく開口したことを特徴とする請求項１記載のトイレットペーパーホルダー。
【請求項３】
ホルダーの蓋先端に紙切断用の突起を４個設けたことを特徴とする請求項１記載のトイレットペーパーホルダー。
【請求項４】
ホルダーの蓋先端の縦の切り込み溝、紙取り出し口、蓋の水溶性ティッシュ収納ポケット、蓋先端の紙切断用の突起の形状を変えてお客の目を引くことを特徴とする請求項１記載のトイレットペーパーホルダー。
【発明の詳細な説明】
【技術分野】
【０００１】  この発明は、トイレットペーパーホルダーの形状に関する。
【背景技術】
【０００２】  従来のトイレットペーパーホルダーの形状は、蓋に紙先端取り出し口が設けられたものである。
【先行技術文献】
【特許文献】
【０００３】
【特許文献１】特開２０１０−５７８７６号公報
【発明の概要】
【発明が解決しようとする課題】
【０００４】  しかしながら、以上の技術によれば、紙先端を探すのに毎回手間取ったり、使用後の手で先端処理したり、紙取り出し口にロール紙を通す場合に両手を使用する必要があり、面倒であったし、水溶性ティッシュの使用は考慮されてなかった。
そこで、この発明は、片手で紙先端を摘んで蓋上の取り出し口に持っていき引き出すことが出来、蓋先端のカッターも突起を少なくして、ロール紙の切断を容易にし、その紙端が常に蓋上面にあることで、次の利用者が容易に紙端を確保し、紙の引き出しができることと、取り出し口の開口部を大きくすることで蓋の下に水溶性ティッシュを収納し、使用可能なことを提供すること
を課題とする。
【課題を解決するための手段】
【０００５】  以上の課題を解決するために、第一発明は、蓋に縦の切り込み溝４を設けたことを特徴とするトイレットペーパーホルダーである。
また、第二発明は、蓋のペーパー取り出し口３の両側に収納ポケットを設けて、水溶性ティッシュを使用可能にしたトイレットペーパーホルダーである。
【発明の効果】
【０００６】  第一発明、または第二発明によれば、トイレットペーパーホルダー蓋の紙取り出し口に接続する縦の切り込み溝を入れ、紙取り出し口開口部を広くしたことで、片手で引き出すのが容易であり、次の使用者は紙端が必ず獲得できるので衛生的である。水溶性ティッシュを使用する場合は、蓋裏収納ポケットに水溶性ティッシュを置き、大きく開いた蓋の紙引き出し口からティッシュを片手で引き出して使用でき、衛生的である。
【図面の簡単な説明】
【０００７】
【図１】この発明の一実施形態を示す正面図である。
【図２】この発明の一実施形態を示す側面図である。
【発明を実施するための形態】
【０００８】  この発明の一実施形態を、図１に示す。
このペーパーホルダーの蓋先端には縦の切り込み溝があり、その上端は紙取り出し口が横に大きく開いている。
【０００９】「実施形態の効果」
この実施形態によれば、紙先端を摘まみ、縦の切り込み溝を通して紙取り出し口から引き出すことができ、紙を蓋先端の突起に押し付けるように切断した後は、紙先端が蓋上面に必ず出ているので、次に使用する時は容易に先端が確保できる。
「他の実施形態効果」
図１の実施形態では、ロール紙の使用であったが、他の実施形態では、蓋裏のポケットに水溶性ティッシュを置き、紙引き出し口から片手で引き出して使用できるので、便利で衛生的である。
「他の実施形態」
この実施形態によれば、紙を蓋先端の４個の突起のどれかに押し付けて切断すようにしているが、これは紙にかかる切断力を大きくし、切断を容易にするためであり、突起の数の多少、形状の違い又は突起無しの場合もある。
【符号の説明】
【００１０】１  ペーパーホルダー本体            ２  ペーパーホルダー蓋
３  紙取り出し口                    ４  蓋縦切り込み溝
５  紙切断用突起                    ６  蓋ガイド
７  ティッシュ収納ポケット
【図１】
2015173965.tif 000003
【図２】
2015173965.tif 000004
(57)【要約】      （修正有）【課題】花瓶に造花を飾るとき造花が斜めになったりしない様に安定させる固定具を提供する。【解決手段】花瓶の内部に取り付ける造花の茎の固定具を提供します。生花用の剣山は生花の茎を針に刺します。造花用は台座４の上部に管１を取り付けその管１に造花を挿入します。造花の茎を固定させることを特徴とします。【選択図】図１
2015173967.tif 000002
【特許請求の範囲】
【請求項１】
筒形の容器の内部の底に台座を作り、その前記筒形の容器の内部の前記台座の上部に数種類の内径の管を、挿入固着したことを特徴とする造花の茎の固定具。
【請求項２】
台座の上部に任意形状の筒を設置し、内部に数種類の内径の管を挿入固着したことを特徴とする造花の茎の固定具。
【請求項３】
台座の上部に数種類の内径の管を固着させたことを特徴とする造花の茎の固定具。
【請求項４】
請求項１の筒形の容器の裏面、請求項２請求項３の台座の裏面に磁石を取り付けたことを特徴とする造花の茎の固定具。
【発明の詳細な説明】
【技術分野】
【０００１】本発明は、花瓶の内部の底部に造花の茎の固定具を置く事に関する物です。
【背景技術】
【０００２】従来、花瓶の内部に発砲スチロール、スッポンジを挿入して造花の茎を刺し込んでいました。
【先行技術文献】
【特許文献】
【０００３】
【特許文献１】特開２０１２−１１１９４号公報
【特許文献２】特開２０１１−１１０１６号公報
【特許文献３】特開２００９−１５３９５４号公報
【特許文献４】特開２００３−３２５２８９号公報
【発明の概要】
【発明が解決しようとする課題】
【０００４】そのために、次のような問題点がありました。
発砲スチロール、スポンジは長持ちがしませんでした。
造花には今までの剣山が利用できませんでした。
様々な花瓶の底の部分に今までの固定具に代わるものとして次の様な造花の固定具を提供することです。
【課題を解決するための手段】
【０００５】（ア）筒形の容器の内部の底に台座を作り、その前記筒形の容器の内部の前記台座の上部に数種類の内径の管を挿入固着します。
（イ）台座の上部に任意形状の筒を設置し、内部に数種類の内径の管を挿入固着します。
（ウ）台座の上部に数種類の内径の管を固着します。
（エ）アの容器の裏面、イ、ウの台座の裏面に磁石を取り付けます。
【発明の効果】
【０００６】固定具の管に造花の茎を挿入させると造花が安定します。
生花の場合は茎を剣山の針に刺し込んで固定させますが、造花の場合は針に刺さりませんので管に茎を挿入させます。
【発明を実施するための形態】
【０００７】以下、本発明の実施の形態について説明します。
請求項１の固定具は底のある容器をつかいます。
（容器の形）
容器の形は筒形として、円形、楕円形、角形、等とします。
底の幅は生花の剣山の幅を参考にします。
（容器の高さ）
容器の高さは数ｃｍとします。
（容器の材料）
合成樹脂、金属、木  竹等とします。
（管の材料）
合成樹脂、金属、竹  等とします。
（作り方）
（ア）容器の内部の底に台座になる物を詰めます。
台座にする物は鉄、石、粘土等とします。
台座部分が固まりましたら、その上部に管を縦に挿入固着いたします。
抜けない様にしっかり固定します。
（イ）市販されている造花は茎の太さが数種類です。
その他何本か束にした物もあます。
あまり大きな束は該当しません。
（ウ）まず、容器の中央部分に少し束になった造花が挿入できる内径の太目の管を挿入固      着させます。
その周りに造花の太目の茎が挿入する管を挿入固着させます。
その周りに造花の中目の茎が挿入する管を挿入固着させます。
その周りに造花の細めの茎が挿入する管を挿入固着させます。
（図を参考にしてください）
（エ）実際に造花の茎を挿入してみますと、太目の茎が挿入になれば、その他の茎はどの      管にも挿入します。細い茎は管と管の隙間にも挿入します。
管の長さが数ｃｍありますので内径の大きい管に細い茎を挿入しても倒れる事はあ      りません。
管はあまり限定的な配置にしないで適当に配置しても実際に挿入してみると面白い      ように綺麗にできます。
請求項２の固定具は底のない任意形状の筒を使います。
（台座の形）
円形、楕円形、角形、等とします。
（台座の材料）
金属、粘土、石等とします。
（筒の形）
円形、楕円形、角形、等とします。
（筒の材料）
合成樹脂、金属、木  竹等とします。
（管の材料）
合成樹脂、金属、木、竹  等とします。
（作り方）
台座の上部に任意形状の筒を固着させます。
筒の内部に数種類の管を挿入固着させます。
管の取り付け方は請求項１のやり方と同じです。
請求項３の固定具は台座の上部に管を固着させます。
（台座の形）
円形、楕円形、角形等とします。
（台座の材料）
金属、粘土、石等とします。
（管の材料）
合成樹脂、金属、竹等とします。
（作り方）
台座の上部に数種類の管を固着させます。
台座と管を合わせた高さは数ｃｍとします。
請求項１、請求項２の管は容器、筒の内部に収納されているので倒れることがありません。しかし、請求項３の管は台座の上部に数種類の管を固着するため管の底面、側面に適正な接着材を使用します。又、取り付けた管の周りにバンド等で固定する事も必要な場合もあります。
管の取り付けの種類は請求項１のやり方と同じです。
請求項４の説明です。
請求項１の容器の場合は容器の裏面の底に、請求項２、請求項３の台座の場合は台座の裏面に磁石を取り付けます。
磁石は容器、台座の底の面積と同じにします。
磁石を取り付けた固定具は次の場合に利用します。
固定具に造花を取り付けた場合に転倒の可能性が高くなります、そこで薄くて表面積の違う鉄板を数種類用意しておき、固定具、花瓶の大きさにより花瓶の底に鉄板を敷き、その上に固定具を置きます。地震対策にもなります。
それから、固定具の高さに合わせて切断した細い竹を固定具の周りに取り付けて固定具を飾る様にする事も可能です。竹にも造花の茎を挿入できます。
花瓶の薄い場合には造花を挿入した状態が見えるのでより飾りとしての効果が期待できます。
または、固定具の側面に孔を付けて透水できる様にすると管に挿入できる生花にも利用できます。
本発明は以上の様な構成です。
【図面の簡単な説明】
【０００８】
【図１】  容器を利用した場合の斜視図
【図２】  筒を利用した場合斜視図
【図３】  台座に直接管を固着した場合の斜視図
【符号の説明】
【０００９】１  管
２  容器
３  筒
４  台座
５  磁石
６  鉄板
【図１】
2015173967.tif 000003
【図２】
2015173967.tif 000004
【図３】
2015173967.tif 000005